(57)【要約】      （修正有）【課題】長時間、芳香機能を維持することができ、使用場所、使用目的等に合わせて外装部材の変更が可能で、しかも、芳香性液体の残量を容易に視認可能な芳香具を提供する。【解決手段】この吊下型の芳香具は、大別して、キャップ部材１７、容器本体１１、外装部材１９、係止部材１８からなっている。キャップ部材１７の口金部材１３は、容器本体１１の開口１１ａに接着剤Ａにより接合されており、この口金部材１３には、着脱可能なように、蓋部材１４が螺合されている。係止部材１８が一体化させた外装部材１９に芳香具本体を装着するには、キャップ部材１７側を、外装部材１９の下方から挿入し、係止部材１８の係止孔１８ａをさらに挿通し、容器本体１１の上端部が係止部材１８に当接するまで挿入すると、容器本体１１が外装部材１９によってカバーされた状態となる。外装部材１９を摘まんで、引き上げることにより、香水１２の残量が視認可能となる。【選択図】図１
0003168816.tif 000002
【実用新案登録請求の範囲】
【請求項１】
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に、前記芳香性液体を微量ずつ放散させ得るキャップ部材とからなる芳香具本体と、
前記容器本体の外周よりも僅かに大きい内径を有する外装部材と
前記キャップ部材の外径より大きく且つ前記容器本体の外径より小さい係止孔が形成され、前記外装部材の上端に一体に形成されまたは一体的に取着された係止部材とを備え、
前記芳香具本体を、前記外装部材の下方から内部に挿入し、前記キャップ部材を前記係止孔に挿通し、前記容器本体の上端部を前記係止部材と当接させることにより、前記容器本体を前記外装部材でカバーするように構成したことを特徴とする吊下型の芳香具。
【請求項２】
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、を具備し、
前記下側外装部材の内底部と前記容器本体の下底部とを互いに接合した状態において、前記上側外装部材を前記容器本体の外周上方から嵌入し、前記下側外装部材と当接させることにより、前記容器本体を前記上側外装部材と前記下側外装部材でカバーするように構成したことを特徴とする吊下型の芳香具。
【請求項３】
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、
前記下側外装部材と前記上側外装部材にそれぞれ一体に形成されまたは一体的に結合され、両外装カバー部材同士を着脱自在に連結するための一対の連結部材と、を具備し、
前記下側外装部材の内底部と前記容器本体の下底部とを互いに接合した状態において、前記上側外装部材を前記容器本体の外周上方から嵌入し、前記下側外装部材と結合された一方の連結部材と前記上側外装部材に結合された他方の連結部材とを離脱可能に連結することにより、前記容器本体を前記上側外装部材と前記下側外装部材でカバーするように構成したことを特徴とする吊下型の芳香具。
【請求項４】
前記キャップ部材は、小径筒状部と大径筒状部からなり前記小径筒状部の外周部は前記容器本体の前記開口に嵌合され且つ接着剤にて気密に固着され、前記小径筒状部の内周部には雌ねじ部が形成され、前記大径筒状部には外周から内周に達する第１の小孔が穿設されてなる口金部材と、
下端から中間に至る部分に空洞を有し下端側外周には雄ねじ部が形成され中間部には外周から前記空洞に達する第２の小孔が穿設され、上端側には前記下端側より大径の頭部が形成され、前記頭部には吊環、鎖等の吊り下げ具を連結する取付孔が穿設されてなる蓋部材とから構成されていることを特徴とする請求項１〜３のいずれか１項に記載の吊下型の芳香具。
【請求項５】
前記口金部材および前記蓋部材に穿設される前記第１の小孔および前記第２の小孔は、軸方向に互いにずらせて配置されていることを特徴とする請求項４に記載の吊下型の芳香具。
【請求項６】
種々の装飾を施してなる前記外装部材を複数個用意しておき、前記容器本体に適宜選択的に装着し得るように構成したことを特徴とする請求項１項に記載の吊下型の芳香具。
【請求項７】
種々の装飾を施してなる前記下側外装部材および前記上側外装部材を複数個用意しておき、前記容器本体に適宜選択的に装着し得るように構成したことを特徴とする請求項２または３に記載の吊下型の芳香具。
【請求項８】
前記吊下型の芳香具は、チェーンその他の吊下げ紐に接続されたペンダントの機能を有することを特徴とする請求項１〜３のいずれか１項に記載の吊下型の芳香具。
【請求項９】
前記下側外装部材の内底部と前記容器本体の下底部とは、接着剤をもって接合してなることを特徴とする請求項２または３に記載の吊下型の芳香具。
【請求項１０】
前記一対の連結部材の一方は、前記下側外装部材に一体に形成されまたは接着剤をもって接合してなり、端部にねじ部が形成され、前記連結部材の他方は、前記上側外装部材に一体に形成されまたは接着剤をもって接合してなり端部に前記ねじ部に螺合する螺合ねじ部が形成されていることを特徴とする請求項３に記載の吊下型芳香具。
【請求項１１】
前記上側外装部材は、二分割以上に分割可能なるように構成されていることを特徴とする請求項２または３に記載の吊下型の芳香具。
【考案の詳細な説明】
【技術分野】
【０００１】
本考案は、芳香具に関し、より詳しくは吊下型の芳香具の改良に関するものである。
【背景技術】
【０００２】
香水は、通常、肌、下着、衣服等に直接着けて使用されている。しかし、香りは、時間の経過によって変化し、いつまでも香りが持続しないので、アトマイザー（香水を小分けして収納した容器）を携帯して必要に応じて着けている。
一方、香水をストラップやペンダントのような装身具に収納し、多数の小さな通気孔から香りを放散させるようにしたものが特開２０１１−３０９９９号公報（特許文献１）に開示されている。
この特許文献１に記載された携帯用香水収容容器体は、スティック状の香水含有体と、それを収納する収納容器体とで構成されるもので、収納容器の一端部にネジ部を有し、他方端部にストラップやキーホルダーを取り付けて携帯できる様にし、該ネジ部に、カートリッジタイプの香水含有体が収納できる収納部を有した収納キャップをねじ込んで組み合わせ、その収納キャップの通気孔から香水を気散させて携帯用香水収納容器体としたものである。この携帯用香水収納容器体は、極めて単純な構成内容と香水の補充作業が場所と時間を選ばず簡単にできるもので、ネックレス仕様やイアリング仕様にも応用できる構造を有するものとしている。
【０００３】
しかしながら、このように、構成された特許文献１に記載の香水収納容器体の香水含有体には、液状の香水が含まれているので、収納部に多数穿設された通気孔を用いており、また、収納体のねじ部と、収納キャップのねじ部とは、単に粗いピッチのねじ同士で螺合されているため、香水含有体に浸み込まれた香水が初期の段階で通気孔や螺合部を介して浸み出る虞れがある。
このように、ペンダントから香水が漏洩し、その香水が肌に直接触れる場合は、人（体質）によっては皮膚がカブレたり、脱毛が生じたりする、という問題が生じる。
また、ペンダントから漏洩した香水が衣類に付着すると衣類にシミが生じるという問題を惹起する。
また、特許文献１の携帯用香水収納容器体は、こけしや将棋の駒などの土産物や置物とした収納容器についても応用し得ることが提案されている。
この場合も香水は、スティック状の香水含有体に含有させることが条件であるが、次のような難点がある。
【０００４】
第１に、スティック状の香水含有体は、使い捨てが前提となっており、コスト的に不利があること、第２に、香水の残量を確認する手段がないこと、第３に、スティック状の香水含有体は、容量が小さく香水液を充填したものに比べ、有効時間が短いこと、第４に、予め香水を含有させたカートリッジタイプの香水含有体は、放置しておくと香水が気化してしまうため、保存には、特別の保存容器に入れて密封しておく必要があり、使い勝手が悪く、しかも保存容器中に保存しておいても、一定の時間が経過すると、微量ずつ気化してしまう、という難点がある。
【先行技術文献】
【特許文献】
【０００５】
【特許文献１】特開２０１１−３０９９９号公報
【考案の概要】
【考案が解決しようとする課題】
【０００６】
本考案は、上述した事情に鑑みてなされたもので、第１の目的とするところは、容器本体をカバーする装飾の異なる外装部材を適宜変えることにより、使用場所や使用目的、その日の気分等に合わせて、デザインを組み合わせて楽しむことができる吊下型の芳香具を提供することにあり、第２の目的とするところは、外装部材でカバーされているものの、所望に応じ容器本体内の芳香性液体の残量が容易に視認し得る吊下型の芳香具を提供することにあり、第３の目的とするところは、制約の少ない様々な素材、様々な形状の外装部材により、幅広いデザインを施すことが可能で、しかも量産化が可能であり、製造コストを低減し得る吊下型の芳香具を提供することにあり、第４の目的とするところは、長時間芳香機能を維持できると共に内部から芳香性液体が漏洩することを抑止可能で、直接衣服や肌に付着するのを的確に防止し得る吊下型の芳香具を提供することにある。
【課題を解決するための手段】
【０００７】
請求項１に記載した本考案に係る吊下型の芳香具は、上述した第１〜第４の目的を達成するために、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に、前記芳香性液体を微量ずつ放散させ得るキャップ部材とからなる芳香具本体と、
前記容器本体の外周よりも僅かに大きい内径を有する外装部材と、
前記キャップ部材の外径より大きく且つ前記容器本体の外径より小さい係止孔が形成され、前記外装部材の上端に一体に形成されまたは一体的に取着された係止部材とを備え、
前記芳香具本体を、前記外装部材の下方から内部に挿入し、前記キャップ部材を前記係止孔に挿通し、前記容器本体の上端部を前記係止部材と当接させることにより、前記容器本体を前記外装部材でカバーするように構成したことを特徴としている。
【０００８】
請求項２に記載した本考案に係る吊下型の芳香具は、上述した第１〜第４の目的を達成するために、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、を具備し、
前記下側外装部材の内底部と前記容器本体の下底部とを互いに接合した状態において、前記上側外装部材を前記容器本体の外周上方から嵌入し、前記下側外装部材と当接させることにより、前記容器本体を前記上側外装部材と前記下側外装部材でカバーするように構成したことを特徴としている。
【０００９】
請求項３に記載した本考案に係る吊下型の芳香具は、上述した第１〜第４の目的を達成するために、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、
前記下側外装部材と前記上側外装部材にそれぞれ一体に形成されまたは一体的に結合され、両外装カバー部材同士を着脱自在に連結するための一対の連結部材と、を具備し、
前記下側外装部材の内底部と前記容器本体の下底部とを互いに接合した状態において、前記上側外装部材を前記容器本体の外周上方から嵌入し、前記下側外装部材と結合された一方の連結部材と前記上側外装部材に結合された他方の連結部材とを離脱可能に連結することにより、前記容器本体を前記上側外装部材と前記下側外装部材でカバーするように構成したことを特徴としている。
【００１０】
請求項４に記載した本考案に係る吊下型の芳香具は、
前記キャップ部材は、小径筒状部と大径筒状部からなり前記小径筒状部の外周部は前記容器本体の前記開口に嵌合され且つ接着剤にて気密に固着され、前記小径筒状部の内周部には雌ねじ部が形成され、前記大径筒状部には外周から内周に達する第１の小孔が穿設されてなる口金部材と、
下端から中間に至る部分に空洞を有し下端側外周には雄ねじ部が形成され中間部には外周から前記空洞に達する第２の小孔が穿設され、上端側には前記下端側より大径の頭部が形成され、前記頭部には吊環、鎖等の吊り下げ具を連結する取付孔が穿設されてなる蓋部材とから構成されていることを特徴としている。
請求項５に記載した本考案に係る吊下型の芳香具は、
前記口金部材および前記蓋部材に穿設される前記第１の小孔および前記第２の小孔は、軸方向に互いにずらせて配置されていることを特徴としている。
請求項６に記載した本考案に係る吊下型の芳香具は、
種々の装飾を施してなる前記外装部材を複数個用意しておき、前記容器本体に適宜選択的に装着し得るように構成したことを特徴としている。
【００１１】
請求項７に記載した本考案に係る吊下型の芳香具は、
種々の装飾を施してなる前記下側外装部材および前記上側外装部材を複数個用意しておき、前記容器本体に適宜選択的に装着し得るように構成したことを特徴としている。
請求項８に記載した本考案に係る吊下型の芳香具は、
前記吊下型の芳香具は、チェーンその他の吊下げ紐に接続されたペンダントの機能を有することを特徴としている。
請求項９に記載した本考案に係る吊下型の芳香具は、
前記下側外装部材の内底部と前記容器本体の下底部とは、接着剤をもって接合してなることを特徴としている。
請求項１０に記載した本考案に係る吊下型の芳香具は、
前記一対の連結部材の一方は、前記下側外装部材に一体に形成されまたは接着剤をもって接合してなり、端部にねじ部が形成され、前記連結部材の他方は、前記上側外装部材に一体に形成されまたは接着剤をもって接合してなり端部に前記ねじ部に螺合する螺合ねじ部が形成されていることを特徴としている。
請求項１１に記載した本考案に係る吊下型の芳香具は、
前記上側外装部材は、二分割以上に分割可能なるように構成されていることを特徴としている。
【考案の効果】
【００１２】
請求項１に記載の考案（以下、「本考案１」という）によれば、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に、前記芳香性液体を微量ずつ放散させ得るキャップ部材とからなる芳香具本体と、
前記容器本体の外周よりも僅かに大きい内径を有する外装部材と
前記キャップ部材の外径より大きく且つ前記容器本体の外径より小さい係止孔が形成され、前記外装部材の上端に一体に形成されまたは一体的に取着された係止部材とを備え、
前記芳香具本体を、前記外装部材の下方から内部に挿入し、前記キャップ部材を前記係止孔に挿通し、前記容器本体の上端部を前記係止部材と当接させることにより、前記容器本体を前記外装部材でカバーするように構成したことにより、
第１に、容器本体をカバーする装飾の異なる外装部材を適宜変えることにより、使用場所や使用目的、その日の気分等に合わせて、バリエーションを楽しむことができ、第２には、外装部材の交換が簡単に行い得ると共に容器本体内の芳香性液体の補充を容易に行うことができ、第３に、外装部材でカバーされているものの、所望時に容器本体内の芳香性液体の残量を容易に視認することができ、
第４に、外装部材は、その選択に制約が少なく、様々な素材、様々な形状、幅広いデザインを施すことができ、量産により製造コストの低減化を図ることができ、
第５に、長期間に亘り、芳香機能を維持することができると共に、内部から芳香性液体が漏洩することを抑止可能であり、直接衣服や肌に付着するのを確実に防止することができる。
【００１３】
また、請求項２に記載の考案（以下、「本考案２」という）によれば、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、を具備し、
前記下側外装部材の内底部と前記容器本体の下底部とを互いに接合した状態において、前記上側外装部材を前記容器本体の外周上方から嵌入し、前記下側外装部材と当接させることにより、前記容器本体を前記上側外装部材と前記下側外装部材でカバーするように構成したことにより、
上記請求項１に記載の本考案１と同様の効果を奏するほか、本考案１に比べ使い勝手が良く、且つ外装部材が複数となる分、デザインの多様性を一層拡大させることができる。
【００１４】
また、請求項３に記載の考案（以下、「本考案３」という）によれば、
芳香を発する機能を備えた吊下型の芳香具において、
上端に開口を有し内容量を視認し得る有底円筒状の容器本体と、前記容器本体の前記開口に取着され、前記容器本体内へ芳香性液体を注入し得ると共に前記芳香性液体を微量ずつ放散させ得るキャップ部材とからなる芳香具本体と、
前記容器本体の外周よりも僅かに大きい内径を有し、前記容器本体の長さより充分短い長さを有する有底状の下側外装部材と、
前記下側外装部材と同じ内径を有し、前記下側外装部材の長さを加えた長さが前記容器本体の長さと同程度となる長さを有する上側外装部材と、
前記下側外装部材と前記上側外装部材にそれぞれ一体に形成されまたは一体的に結合され、両外装カバー部材同士を着脱自在に連結するための一対の連結部材と、を具備し、
前記下側外装部材の内底部と前記容器本体の下底部とを互いに接合した状態において、前記上側外装部材を前記容器本体の外周上方から嵌入し、前記下側外装部材と結合された一方の連結部材と前記上側外装部材に結合された他方の連結部材とを離脱可能に連結することにより、前記容器本体を前記上側外装部材と前記下側外装部材でカバーするように構成したことにより、
上記本考案１および本考案２と同様の効果を奏するほか、本考案２に比べ、上側外装部材と下側外装部材の取付角度を一定にすることができ、延いては、上下外装のデザインの統一を図ることができる。
【図面の簡単な説明】
【００１５】
【図１】本考案の第１の実施の形態に係る吊下型の芳香具の全体構成を示す左側面縦断面図である。
【図２】本考案の第１の実施の形態〜第３の実施の形態に係る吊下型の芳香具に共通するキャップ部材を構成する蓋部材と口金部材の構成を示すもので、（ａ）は、蓋部材の外観構成を示す斜視図、（ｂ）は、口金部材の外観構成を示す斜視図、（ｃ）は、蓋部材を口金部材にねじ込んで、組み付けた状態のキャップ部材を示す斜視図である。
【図３】本考案の第１の実施の形態に係る吊下型の芳香具の製作手順を説明するためのもので、（ａ）は、外装部材と係止部材の組み付け前の外観構成を示す分解斜視図、（ｂ）は、外装部材に係止部材を接合した状態を示す斜視図、（ｃ）は、芳香具本体に外装部材を装着する前の状態を示す本考案の第１の実施の形態に係る吊下型の芳香具の外観の全体構成を示す分解斜視図、（ｄ）は、芳香具本体に外装部材を装着した使用状態を示す斜視図である。
【図４】本考案の第２の実施の形態に係る吊下型の芳香具の全体構成を示す左側面縦断面である。
【図５】本考案の第２の実施の形態に係る吊下型の芳香具の製作手順を説明するためのもので、（ａ）は、下側外装部材と底板とを接合する前の状態を示す斜視図、（ｂ）は、底板を下側外装部材に接合した状態を示す斜視図、（ｃ）は、下側外装部材に容器本体を嵌入する前の状態を示す分解斜視図、（ｄ）は、下側外装部材の内底部と容器本体の底面とを接合した状態を示す斜視図である。
【図６】図４に示す第２の実施の形態に係る吊下型の芳香具の使用方法を説明するためのもので、（ａ）は、上側外装部材を芳香具本体の容器本体に嵌合する前の状態を示す斜視図、（ｂ）は、下側外装部材の上段に上側外装部材を積層した使用状態を示す斜視図である。
【図７】本考案の第３の実施の形態に係る吊下型の芳香具の全体構成を示す左側面縦断面図である。
【図８】図７に示す吊下型の芳香具の製作手順を示すもので、（ａ）は、下側外装部材の上下に接合される底板と雄ねじが形成された下側連結部材をそれぞれ分解した状態で示す斜視図、（ｂ）は、下側外装部材の底面側に底板を、上面側に雄ねじが形成された上側連結部材を互いに接合した状態を示す斜視図、（ｃ）は、下側外装部材の中に容器本体を嵌入する前の状態を示す斜視図、（ｄ）は、下側外装部材の中に容器本体を嵌入し、両者を接合した状態を示す斜視図である。
【図９】図７に示す第３の実施の形態に係る吊下型の芳香具の使用方法を説明するためのもので、（ａ）は、上側外装部材と上側連結部材をそれぞれ分解して示す分解斜視図、（ｂ）は、上側外装部材の底部に上側連結部材を接合した状態を示す斜視図、（ｃ）は、図８の（ｄ）に示す下側外装部材と一体化された芳香具本体に対し、上側外装部材を装着する前の状態を示す斜視図、（ｄ）は、下側外装部材上に上側外装部材を連結部材を介して螺着した使用状態を示す斜視図である。
【考案を実施するための最良の形態】
【００１６】
以下、本考案の第１〜第３の実施の形態について図面を参照して、本考案の吊下型の芳香具を詳細に説明する。
図１〜図３は、本考案の第１の実施の形態に係る吊下型の芳香具の構成を示している。
このうち、図１は、本考案の第１の実施の形態に係る吊下型の芳香具の全体構成を示す左側面縦断面図、図２は、本考案の第１の実施の形態〜第３の実施の形態に係る吊下型の芳香具に共通するキャップ部材を構成する蓋部材と口金部材の構成を示すもので、（ａ）は、蓋部材の外観構成を示す斜視図、（ｂ）は、口金部材の外観構成を示す斜視図、（ｃ）は、蓋部材を口金部材にねじ込んで、組み付けた状態のキャップ部材を示す斜視図、図３は、本考案の第１の実施の形態に係る吊下型の芳香具の製作手順を説明するためのもので、（ａ）は、外装部材と係止部材の組み付け前の外観構成を示す分解斜視図、（ｂ）は、外装部材に係止部材を接合した状態を示す斜視図、（ｃ）は、芳香具本体に外装部材を装着する前の状態を示す本考案の第１の実施の形態に係る吊下型の芳香具の外観の全体構成を示す分解斜視図、（ｄ）は、外装部材を芳香具本体に装着した使用状態を示す斜視図である。
【００１７】
図１〜図３において、１１は、上端に開口１１ａを有する有底状の容器本体であり、内部には、香水、アロマオイル等の芳香性溶液の一種である香水１２を収容する。容器本体１１は、この場合、ガラス（例えば、硼珪酸ガラス）で型を用いて成型されるが、プラスチック樹脂製であってもよく、内部の香水１２の残容量が外部から視認できるように、透明または半透明のものを用いる。また容器本体１１の形状は、有底円筒に形成されている。
以下、図１〜図３において、１３は、容器本体１１に組み付けられる口金部材であり、下半部は小径筒状部１３ａとされ、上半部は、小径筒状部１３ａより、その外径および内径とともに大きく形成された大径筒状部１３ｂとされている。
小径筒状部１３ａの内周部には、雌ねじ部１３ｃが形成されている。大径筒状部１３ｂには、円筒中心軸に対し、直交する方向に、外周から内周に達する気化通気用の第１の小孔１３ｄが穿設され、この第１の小孔１３ｄの大きさは、０．５〜１．５mm程度とするが、この第１の小孔１３ｄの数が２〜３口の場合はさらに小径の孔としてもよい。
大径筒状部１３ｂの上端は、上面から底面に向かうにつれて小径となるような第１のテーパー面１３ｅが、平滑面に形成されている。
【００１８】
１４は、蓋部材であり、下端から中間に至る部分に円孔（下端が開口された有底の空洞）よりなる第１の空洞１４ａが形成されている。蓋部材１４の下端側外周には、前記口金部材１３の雌ねじ部１３ｃと螺合（ねじ結合）するに適する雄ねじ部１４ｂが形成されている。蓋部材１４の中間部には、円筒体の外周から第１の空洞１４ａに達する気化通気用の第２の小孔１４ｃが穿設されている。この第２の小孔１４ｃは、第１の小孔１３ｄと同程度の寸法とするが、複数設ける場合は、より小径としてもよい。
蓋部材１４の上端側の頭部１４ｄは、下半部より大径とされ、上面は、ほぼ球面（半球面）に近似した非球面形状を呈しており、その中心軸上に、中心軸に直交する方向の取付孔１４ｅが穿設され、この取付孔１４ｅには、図３（ｃ）、（ｄ）に示すような吊環（リング）１５、チェーン１６、吊紐等の吊り下げ具が挿通される。この蓋部材１４の頭部１４ｄの下面は、下方に行くにつれてその直径を減じるような平滑面である第２のテーパー面１４ｆが形成されており、この第２のテーパー面１４ｆと上述した口金部材１３の第１のテーパー面１３ｅとは、ほぼ同一の傾斜のテーパー面とされている。
このような構成よりなる容器本体１１とキャップ部材１７を構成する口金部材１３と蓋部材１４の組立要領について説明する。
【００１９】
先ず、容器本体１１の開口１１ａの内周および口金部材１３の小径筒状部１３ａの外周のいずれか一方、または双方に、そして、容器本体１１の上面と口金部材１３の大径筒状部１３ｂの下面との間に接着剤を塗布し、小径筒状部１３ａを、開口１１に嵌合し、その接着剤Ａを固化させて、両面間を気密状に固着（接合）する。
次いで、または適時、所望の香水１２（またはアロマオイル等）を、スポイト、注射針のような注入具を用いて、容器本体１１の内部（空洞）に注入する。
然る後、蓋部材１４の雄ねじ部１４ｂを、口金部材１３の雌ねじ部１３ｃに螺合し、蓋部材１４の第２のテーパー面１４ｆが、口金部材１３の第１のテーパー面１３ｅに当接密着するまで、蓋部材１４の頭部１４ｄを回してねじ込んで、両者間を気密に圧着させる。
また、蓋部材１４の取付孔１４ｅに、図３（ｃ）、（ｄ）に示すように、吊環（リング）１５を取り付け、さらにこの吊環１５に長丈のチェーン１６を挿通すれば、芳香機能を有する吊下型の芳香具本体が出来上がる。
このように構成された吊下型の芳香具本体は、気化された香水１２が、蓋部材１４の第１の空洞１４ａ→第２の小孔１４ｃ→第２の空洞１４ｇ→第１の小孔１３ｄを介して外部に放散される。
尚、図１および図２（ａ）、(ｂ)、(ｃ)において説明した口金部材１３および蓋部材１４については、本件考案者が先に登録実用新案第３１４４６４４号として提案した吊下型の芳香具に用いられているものと共通する。
【００２０】
上述のように構成されたキャップ部材１７と容器本体１１とからなる組立体を芳香具本体と称することとする。この芳香具本体の外側をカバーする（囲繞する）外装部材１９について説明する。
外装部材１９は、図１においては、係止部材１８と一体化された状態で示してあるが、この実施の形態では、図３（ａ）に示すように、円筒状の外装部材１９と係止部材１８とは、別体に形成される。外装部材１９は、容器本体１１の外周に挿脱自在に嵌合し得るように、その内径を容器本体１１の外径（外周）よりも僅かに大きい（例えば、０．５ｍｍ〜２ｍｍ）外形寸法とされるが、外形寸法および外形形状について、施すべきデザイン（形状、模様、色彩またはこれらの結合）によって、自由である。
一方、係止部材１８は、円環（リング）状を呈し、内側の孔は、キャップ部材１７（即ち、蓋部材１４と口金部材１３との集合体）の外径より大きく且つ容器本体１１の外径より小さい係止孔１８ａが形成されている。この係止部材１８の外径は、上述した外装部材１９と同じである。
【００２１】
次に、このような構成よりなる外装部材１９と係止部材１８とは、外装部材１９の上端面および係止部材１８の下面のいずれか一方、または双方に接着剤Ｂを塗布し、係止部材１８を外装部材１９を当接し、接着剤Ｂを固化させて、図３（ｂ）に示すように、両者間を接合する。使用に際しては、図３（ｃ）に示すように、基端が吊環１５に連結されたチェーン１６を先に外装部材１９および係止部材１８の内空部を挿通し、チェーン１６を引き出すことにより、吊環１５およびキャップ部材１７が係止部材１８上に突出した状態となるが容器本体１１の上端部（肩部）が係止部材１８の下面に当接し、図１および図３（ｄ）に示すように容器本体１１の外周を外装部材１９でカバーした状態となる。
このように構成された第１の実施の形態に係る吊下型の芳香具によれば、容器本体１１に対し装飾の異なる種々の外装部材１９を交換することができ、使用場所、使用目的、その日の気分等に合わせて、複数の外装部材１９のうちから選択してバリエーションを楽しむことができる利点がある。
また、容器本体１１内に香水１２を充填する際には、外装部材１９を装着した状態でも可能であり、また、外装部材１９で容器本体１１の香水の残量を確認するには、外装部材１９を上方に引き上げるか、芳香具本体（容器本体１１とキャップ部材１７）を、外装部材１９からその一部または香水１２の液面が視認できる位置まで引き抜くことが可能である。
【００２２】
また、外装部材１９は、その内空側は、容器本体１１の外径に制約を受けるが外面側は、特段の制約がないため、様々な素材、例えば、陶器（陶磁器を含む）、金属、プラスチック、木、などを使用することができ、様々な形状、幅広いデザインを施すことができる。
また、上記のような蓋部材１４、口金部材１３からなるキャップ部材１７によれば、長期間に亘り、芳香機能を維持することができると共に、内部から芳香性液体と漏洩することを抑止することが可能であり、直接衣服や肌に付着するのを確実に防止することができる。
次に、第２の実施の形態に係る吊下型芳香具について、主として、図４、図５および図６を用いて説明する。
このうち、図４は、本考案の第２の実施の形態に係る吊下型の芳香具の全体構成を示す左側面縦断面で、図５は、本考案の第２の実施の形態に係る吊下型の芳香具の製作手順を説明するためのもので、（ａ）は、下側外装部材と底板とを接合する前の状態を示す斜視図、（ｂ）は、底板を下側外装部材に接合した状態を示す斜視図、（ｃ）は、下側外装部材に容器本体を嵌入する前の状態を示す斜視図、（ｄ）は、下側外装部材の内底部と容器本体の底面とを接合した状態を示す斜視図で、図６は、図４に示す第２の実施の形態に係る吊下型の芳香具の使用方法を説明するためのもので、（ａ）は、上側外装部材を芳香具本体の容器本体に嵌合する前の状態を示す斜視図、（ｂ）は、下側外装部材の上段に上側外装部材を積層した使用状態を示す斜視図である。
【００２３】
この第２の実施の形態は、上述した第１の実施の形態に対し、キャップ部材１７、容器本体１１等については共通し、外装部材として、下側外装部材２０と上側外装部材２１の二つに分割した点、係止部材１８の機能を無くし、下側外装部材２０の底面に底板２２を接合してなる点が異なっている。
下側外装部材２０と上側外装部材２１は、両端開口型の円筒体からなり、それぞれの内径寸法は、容器本体１１の外径寸法より僅かに大きく、特に、上側外装部材２１が、緩く嵌合し得る程度の寸法関係とする。底板２２は、円板状を呈し、その外径は、下側外装部材２０の外径寸法と略同じとする。
さて、この第２の実施の形態に係る芳香具の製作手順につき、図５（ａ）〜（ｄ）を用いて説明する。
下側外装部材２０の底面および底板２２の上面のいずれか一方または双方に接着剤Ｃを塗布し、下側外装部材２０に底板２２を圧接して接着剤を固化させて、図５（ｂ）に示すように、両者間を接合（固着）する。
【００２４】
このようにして一体化された下側外装部材２０の内底面と、芳香具本体の容器本体１１の底面のいずれか一方または双方に接着剤Ｄを塗布し、例えば、図５（ｃ）に示すように、下側外装部材２０を下に置き、芳香具の容器本体１１を図５（ｄ）に示すように、下側外装部材２０の内空部内に挿入し且つ圧接し、その接着剤Ｄを固化させて、両者間を固着（接合）する。
このようにして製作された容器本体１１と下側外装部材２０のユニットの使用方法は、図６（ａ）に示すように、上側外装部材２１の円孔にチェーン１６を挿通し、吊環１５、キャップ部材１７、容器本体１１を順に挿通し、上側外装部材２１の底面が、下側外装部材２０の上面と当接させることで、図６（ｂ）に示すような使用状態となる。
この第２の実施の形態に係る吊下型の芳香具は、上述した第１の実施の形態に係る吊下型と同様の効果を奏するほか、特に、外装部材を、下側外装部材２０と上側外装部材２１に二分割したことにより、図板や形態を異にした上側外装部材２１を複数種類、取揃えておき、上側外装部材２１のみを交換して装着使用することで、より一層バリエーションの拡張を図ることができる。
【００２５】
次に、本考案の第３の実施の形態に係る吊下型の芳香具について、図７〜図９を用いて説明する。
図７は、本考案の第３の実施の形態に係る吊下型の芳香具の全体構成を示す左側面縦断面図、図８は、図７に示す吊下型の芳香具の製作手順を示すもので、（ａ）は、下側外装部材の上下に接合される底板と雄ねじが形成された一方の連結部材をそれぞれ分解した状態で示す斜視図、（ｂ）は、下側外装部材の底面側に底板を、上面側に雄ねじ側の下側連結部材をそれぞれ、接合した状態を示す斜視図、（ｃ）は、下側外装部材の中に容器本体を嵌入する前の状態を示す斜視図、（ｄ）は、下側外装部材の中に容器本体を嵌入し、両者を接合した状態を示す斜視図、図９は、図７に示す第３の実施の形態に係る吊下型の芳香具の使用方法を説明するためのもので、（ａ）は、上側外装部材と上側連結部材をそれぞれ分解して示す分解斜視図、（ｂ）は、上側外装部材の底部に上側連結部材を接合した状態を示す斜視図、（ｃ）は、図８の（ｄ）に示す下側外装部材と一体化された芳香具本体に対し、上側外装部材を装着する前の状態を示す斜視図、（ｄ）は、下側外装部材上に上側外装部材を、連結部材を介して連結した使用状態を示す斜視図である。
【００２６】
この第３の実施の形態に係る吊下型の芳香具は、第２の実施の形態に係る吊下型の芳香具に対し、下側外装部材と上側外装部材との間に、連結部材を介挿した点が異なっている。
即ち、キャップ部材１７を構成する口金部材１３と蓋部材１４、容器本体１１、下側外装部材３０、上側外装部材３１、底板３２等の構成は、基本的には第２の実施の形態と共通している。
そこで、第２の実施の形態と相違する構成部分について説明する。
下側外装部材３０と上側外装部材３１は、両端開口型の円筒体からなり、それぞれの内径寸法は、連結部材を設けたことにより、第２の実施の形態の場合より大きく設定され、容器本体１１の外形寸法より余裕を持たせた寸法となっている。
底板３２は、円板状を呈し、その外径は、下側外装部材３０の外形寸法と略同じとする。
この第３の実施の形態に係る芳香具の製作手順につき、図８および図９を用いて説明する。
下側外装部材３０の底面および底板３２の上面のいずれか一方または双方に接着剤Ｃを塗布し、下側外装部材３０に底板３２を圧接して接着剤Ｃを固化させ、さらに下側外装部材３０の上面および雄ねじ部３３ａが形成された下側連結部材３３の下面のいずれか一方または双方に接着材Ｅを塗布し、下側外装部材３０に下側連結部材３３を圧接して接着剤Ｅを固化させて図８（ｂ）に示すように一体化する。
【００２７】
このようにして、一体化された下側外装部材３０の内底面と、容器本体１１の底面のいずれか一方または双方に接着剤Ｄを塗布し、例えば、図８（ｃ）に示すように、下側芳香具３０を下に置き、芳香具の容器本体１１を、下側外装部材３０の内部に挿入し且つ圧接しその接着剤Ｄを固化させ、両者間を接合（固着）する。
一方、上側外装部材３１の製作手順については、図９（ａ）に示すように、上側外装部材３１の下面および雌ねじ部３４ａ付きの上側連結部材３４の上面のいずれか一方または双方に接着剤Ｆを塗布し、上側連結部材３４に上側外装部材３１を圧接し、接着剤Ｆを固化させて、図９（ｂ）に示すように一体化する。
使用に際しては、図９（ｃ）に示すように、上側外装部材３１の内空部にチェーン１６に始まり、吊環１５、キャップ部材１７、容器本体１１の順に挿通し、上側外装部材３１と一体の上側連結部材３４の雌ねじ部３４ａを、下側外装部材３０と一体の下側連結部材３３の雄ねじ部３３ａにねじ込み連結する。この連結状態、即ち使用状態を、図９（ｄ）に示す。
【００２８】
この第３の実施の形態に係る吊下型の芳香具は、第２の実施の形態に係る吊下型の芳香具と同様の効果を奏し得るが、特に、上側外装部材３１を、下側外装部材３０に対し、固定することができ、そのため、例えば、上側外装部材３１の絵柄と、下側外装部材３０の絵柄とが統一されたものであるとき、両者の絵柄を揃えることができる、という効果がある。
尚、本考案は、上述し且つ図面に示したものに限定されるものではなく、本考案の要旨を逸脱しない範囲で種々の変形実施をすることができる。
例えば、第１の実施例において、外装部材１９と係止部材１８とを接着剤Ｂにより接合した例を示したが、両者を同一材料で一体化させてもよい。
同様に、第２の実施の形態において、底板２２を下側外装部材２０に接着剤Ｃで接合した例を示したが、両者を同一の材料で一体化させてもよい。
また、同様に、第３の実施の形態において、底板３２を下側外装部材３０に接着剤Ｃにより接合した例を示したが、両者を同一材料で一体化させてもよい。
さらに、同様に、第３の実施の形態において、下側連結部材３３を下側外装部材３０に接着剤Ｅにより接合し、また、上側連結部材３４を上側外装部材３１に接着剤Ｆにより接着した例を示したが、下側連結部材３３と下側外装部材３０、上側連結部材３４と上側外装部材３１は、それぞれ同一材料により一体化（一体成型）してもよい。
【００２９】
また、下側連結部材３３と、上側連結部材３４との連結手段として、第３の実施の形態においては、雄ねじ部３３ａと雌ねじ部３４ａとのねじ結合による例を示したが、例えば、単に、下側外装部材３０と上側外装部材３１との連結角度位置を規制するだけであるならば、両外装部材３０、３１の当接部の一方に凹部を形成し、他方にこの凹部と係合する凸部を設ければよいし、両者を確実に連結するのであれば、例えば、いわゆるバヨネット結合のように、相対的に一定角度回転させて両者を結合するようにしてもよい。
【符号の説明】
【００３０】
１１    容器本体
１１ａ    開口
１２    香水
１３    口金部材
１３ａ    小径筒状部
１３ｂ    大径筒状部
１３ｃ    雌ねじ部
１３ｄ    第１の小孔
１３ｅ    第１のテーパー面
１４    蓋部材
１４ａ    第１の空洞
１４ｂ    雄ねじ部
１４ｃ    第２の小孔
１４ｄ    頭部
１４ｅ    取付孔
１４ｆ    第２のテーパー面
１４ｇ    第２の空洞
１５    吊環（リング）
１６    チェーン（鎖）
１７    キャップ部材
１８    係止部材
１９    外装部材
２０    下側外装部材
２１    上側外装部材
２２    底板
３０    下側外装部材
３１    上側外装部材
３２    底板
３３    下側連結部材
３４    上側連結部材
【図１】
0003168816.tif 000003
【図２】
0003168816.tif 000004
【図３】
0003168816.tif 000005
【図４】
0003168816.tif 000006
【図５】
0003168816.tif 000007
【図６】
0003168816.tif 000008
【図７】
0003168816.tif 000009
【図８】
0003168816.tif 000010
【図９】
0003168816.tif 000011